(57)【要約】【課題】積雪や凍結の除去に対しても影響のないシール構造を有する収納箱を得る。【解決手段】箱体のコーナ部となる部分における一方のパネルの端面が他方のパネルの端部に突合せられているパネルＡ３とパネルＢ４の接合面の間隙を第１のシール箇所１０とし、パネルＡ３とパネルＢ４の室内側の各パネルが接触するコーナ部の間隙を第２のシール箇所１１とする。室内側の第２のシール箇所１１は、アルミニウム板２間の間隙であり、作業性の良い変性シリコンシールを使用してシールされる。一方、第１のシール箇所１０は、箱体を構成するパネルＢ４のアルミニウム板２とパネルＡ３のポリスチレンフォーム板１との間でのシールとなるので、アルミニウムとポリスチレンフォームとに対して接着性の良い接着剤を使用してシール作用を持たせる。【選択図】      図１
2004319772.tif 000002
【特許請求の範囲】
【請求項１】
箱体を構成する複数のパネルの各パネル間をコーナ金具により結合して構成される通信装置を収納する収納箱において、前記箱体のコーナ部となる部分における一方のパネルの端面が他方のパネルの端部に突合せられている接合面を接着材を用いて接合した第１のシール箇所とし、箱体の室内側の各パネルが接触するコーナ部を第２のシール箇所とし、該第２のシール箇所を変性シリコンシール材によりシールし、前記第１のシール箇所の箱体の外部となる部分が前記コーナ金具により覆われていることを特徴とする収納箱。
【請求項２】
前記通信装置が、加入者回路遠隔収容装置、または、複数の移動電話用基地局装置であることを特徴とする請求項１記載の収納箱。
【発明の詳細な説明】
【０００１】
【発明の属する技術分野】
本発明は、通信装置等を収納する収納箱に係り、特に、加入者回路遠隔収容装置、複数の移動電話用基地局装置等の通信装置を収納するために用いて好適な収納箱に関する。
【０００２】
【従来の技術】
図２は従来技術による収納箱の外観を示す斜視図、図３は図２に示す収納箱のパネル結合部の詳細を示す断面図であり、以下、図２、図３を参照して、従来技術による収納箱について説明する。図２、図３において、１はポリスチレンフォーム板、２はアルミニウム板、３はパネルＡ、４はパネルＢ、５はコーナ金具、６はコーナ金具の端面Ａ、７はコーナ金具の端面Ｂ、８は第１のシール箇所、９は第２のシール箇所、１２は出入り口扉である。
【０００３】
従来技術による収納箱は、パネルを組み合わせて構成されており、図２に示すように、箱体を形成する各面のパネル相互間をコーナ金具で結合して形成されている。例えば、パネルＡ３とパネルＢ４の結合部は、コーナ金具５により、図示されていないリベット等により結合されている。収納箱の大きさは、加入者回路遠隔収容装置を収納する場合、およそ、高さ２．５ｍ、幅２．０ｍであり、その奥行き寸法は、収納する加入者回路数により、２．０ｍ、３．０ｍ、４．０ｍ、６．０ｍ、９．０ｍとされるのが一般的である。そして、正面には、保守作業等のため作業員が出入りする出入り口扉１２が設けられている。
【０００４】
この箱体を形成する各面のパネル相互のコーナ金具による結合部の詳細を図３に示している。図３に示すように、パネルＡ３とパネルＢ４とは、厚さ５０ｍｍのポリスチレンフォーム板１の両面に２厚さ０．８ｍｍのアルミニウム板２を貼り付けて構成されている。パネルＡ３とパネルＢ４とは、箱体のコーナ部となる部分で、一方のパネルの端面を他方のパネルの端部に突合せられて、ステンレス製のコーナ金具５により結合させられている。コーナ金具５の端面Ａ６とパネルＡ３との接触箇所及びコーナ金具５の端面Ｂ７とパネルＢ４との接触箇所の各間隙を第１のシール箇所８とし、また、パネルＡ３とパネルＢ４とが接触する室内側コーナ部の間隙を第２のシール箇所９とし、これら第１のシール箇所８と第２のシール箇所９は、変性シリコンシール材を用いてシールされている。すなわち、パネルＡ３とパネルＢ４との間の間隙、パネルＡ３またはパネルＢ４と５コーナ金具との間の間隙は、前述のシール材により埋められている。これにより、従来技術による収納箱は、収納箱室内への浸水を防ぐ構造とされている。
【０００５】
【発明の解決しようとする課題】
前述した従来技術による収納箱は、コーナ金具とパネルとの間の第１のシール箇所のシール材が外部に露出しているため、通常屋外に設置される収納箱の表面に積雪や凍結が生じ、これらを取り除く際にシール材を傷め浸水を防ぐ機能が損なわれることがあるという問題点を有している。
【０００６】
本発明の目的は、前述した従来技術の問題点を解決し、積雪や凍結の除去に対しても影響のないシール構造を有する収納箱を提供することにある。
【０００７】
【課題を解決するための手段】
本発明によれば前記目的は、箱体を構成する複数のパネルの各パネル間をコーナ金具により結合して構成される加入者回路遠隔収容装置、複数の移動電話用基地局装置等の通信装置を収納する収納箱において、前記箱体のコーナ部となる部分における一方のパネルの端面が他方のパネルの端部に突合せられている接合面を接着材を用いて接合した第１のシール箇所とし、箱体の室内側の各パネルが接触するコーナ部を第２のシール箇所とし、該第２のシール箇所を変性シリコンシール材によりシールし、前記第１のシール箇所の箱体の外部となる部分を前記コーナ金具により覆うように構成したことにより達成される。
【０００８】
本発明による収納箱は、前述したような構造を備えているため、パネル間の第１のシール箇所がパネル間を固定するコーナ金具で覆われて表面にでていないので、除雪等の際にもシールを傷めることがない。
【０００９】
【発明の実施の形態】
以下、本発明による収納箱の実施形態を図面により詳細に説明する。
【００１０】
図１は本発明の一実施形態による収納箱の構成を示すためのパネル結合部の詳細を示す断面図である。図１において、１０は第１のシール箇所、１１は第２のシール箇所であり、他の符号は図２、図３の場合と同一である。
【００１１】
本発明の実施形態による収納箱の外観、寸法等は、従来技術で説明した収納箱と同様である。また、箱体を構成するパネルＡ３とパネルＢ４とは、従来技術の場合と同様に、厚さ５０ｍｍのポリスチレンフォーム板１の両面に厚さ０．８ｍｍのアルミニウム板２を貼り付けて形成されている。これらの各パネルは、コーナ金具５を介して結合されている。これらの結合は、図示されていないが通常リベットで行われている。
【００１２】
本発明の実施形態は、図１に示すように、箱体のコーナ部となる部分における一方のパネルの端面が他方のパネルの端部に突合せられているパネルＡ３とパネルＢ４の接合面の間隙を第１のシール箇所とし、パネルＡ３とパネルＢ４の室内側の各パネルが接触するコーナ部の間隙を第２のシール箇所１１としている。室内側の第２のシール箇所１１の間隙は、厚さ０．８ｍｍのアルミニウム板２間の間隙であり、シール材として作業性の良い変性シリコンシールを使用してシールされる。一方、第１のシール箇所１０は、箱体を構成するパネルＢ４の厚さ０．８ｍｍのアルミニウム板２と箱体を構成するパネルＡ３の厚さ５０ｍｍのポリスチレンフォーム板１との間でのシールとなるので、アルミニウムとポリスチレンフォームとに対して接着性の良い接着剤、例えば、主剤にエポキシ樹脂、硬化剤にポリアミド樹脂を使用した二液混合エポキシ系接着剤を使用してシール作用を持たせている。
【００１３】
前述したように構成される本発明の実施形態によれば、コーナ金具５をパネル間の強度結合部材として使用している他、パネル間のシール箇所（第１のシール箇所１０）を覆う部材として使用しているので、シールが収納箱の外部に露出することがなく、積雪や凍結を除去する場合にもシールを傷めることなく、積雪や凍結の除去を実施することができる。また、前述した本発明の実施形態によれば、変性シリコンシール材による作業品質は、作業者の習熟度によるところが多く、品質管理が大変であるが、接着剤によるシール作業の品質は作業者に起因するところは少なく、作業品質を上げることができるという効果を得ることができる。
【００１４】
【発明の効果】
以上説明したように本発明によれば、コーナ金具に覆われたパネル間の結合部でシールすることができるので、積雪や凍結を除去する際にシールを傷めることがなく、信頼性が高く、恒久性に優れた収納箱を構成することができる。
【図面の簡単な説明】
【図１】本発明の一実施形態による収納箱の構成を示すためのパネル結合部の詳細を示す断面図である。
【図２】従来技術による収納箱の外観を示す斜視図である。
【図３】図２に示す収納箱のパネル結合部の詳細を示す断面図である。
【符号の説明】
１  ポリスチレンフォーム板
２  アルミニウム板
３  パネルＡ
４  パネルＢ
５  コーナ金具
６  コーナ金具の端面Ａ
７  コーナ金具の端面Ｂ
８、１０  第１のシール箇所
９、１１  第２のシール箇所
１２  出入り口扉
【図１】
2004319772.tif 000003
【図２】
2004319772.tif 000004
【図３】
2004319772.tif 000005